(57)【要約】      （修正有）【課題】強い衝撃力がヒンジ部にヒンジ部の外側から内側に向かう方向に加わっても、ロック片が第２ヒンジ部から反対側方向へ変位するのを防ぐようにして係合が外れることのないテープカセット用収納ケースを提供する。【解決手段】蓋部１２の天板３５に、蓋部１２が前記収納部１１に対して閉じてロック片１４の係合受部４４に外板２９の係合部３９が係合した状態で、ロック片１４にまで延びる延設部４５ａを設け、この延設部４５ａによってロック片１４が、第２ヒンジ部１５から反対側方向へ変位するのを防ぐようにしている。【選択図】図２
2006016025.tif 000002
【特許請求の範囲】
【請求項１】
テープカセットを収納する収納部と、前記収納部を覆う蓋部と、前記収納部及び前記蓋部を第１ヒンジ部によって開閉可能に連結する背板とを備えたテープカセット用収納ケースであって、前記蓋部には前記第１ヒンジ部の反対側面に外板が立設されかつ該外板の外側面に係合部が形成され、一方、前記収納部には、前記第１ヒンジ部の反対側面に周板が立設されかつロック片が前記周板における中央下端部において第２ヒンジ部を介して前記周板に対して旋廻可能に支持されており、前記ロック片の前記周板対向側に、前記外板の係合部と係合可能な係合受部が形成されているテープカセット用収納ケースにおいて、前記蓋部が前記収納部に対して閉じて前記ロック片の係合受部に前記外板の係合部が係合した状態で、前記ロック片にまで延びる延設部を前記蓋部の天板に設け、前記ロック片が前記第２ヒンジ部から反対側方向へ変位するのを前記延設部によって防ぐことを特徴とするテープカセット用収納ケース。
【請求項２】
前記ロック片が凸字形状であり、凸字形状の先端部がロックを解除するときのつまみ部となり、該収納ケースに衝撃力が加わったとき該先端の両端が前記延設部と当接するようになることを特徴とする請求項１記載のテープカセット用収納ケース。
【発明の詳細な説明】
【技術分野】
【０００１】
本発明は、放送局でテープカセットを収納して保護するのに用いられる磁気テープカセット用収納ケースに関する。
【背景技術】
【０００２】
一般に、放送局で用いられるテープカセットは、市販のビデオテープカセットなどに比較して大型で重量が大きいため、落下時にはテープカセットにかかる衝撃が大きく、テープカセットの損傷の原因となった。このため、テープカセットが衝撃によって損傷することを防ぐため、保管や搬送時には専用の合成樹脂製の収納ケースに収納されている。
【０００３】
このような従来のテープカセット用収納ケースの一例として、収納部と、蓋部と、ヒンジ部と、からなるテープカセット用収納ケースが知られている（例えば、特許文献１参照）。
【特許文献１】特開２００２−１７９１７６号公報
【０００４】
図５は、特許文献１に記載の従来のテープカセット用収納ケースを示す図である。図に示すように、従来のテープ用収納ケース１００は、ハードタイプのケース本体を有し、ケース本体が、カセットケースを収納する収納部１０１と、該収納部１０１の上方に覆い被される蓋部１０２と、収納部１０１と蓋部１０２とを連結する背板１０３とを備えている。
【０００５】
また、放送局のように大量のテープカセットを取り扱う環境では、テープカセットをテープカセット用収納ケースに収容した状態で、このテープカセット収納ケースを積み重ねて保管や搬送することが多い。そこで、従来のテープカセット用収納ケースには、図５に示すように、テープカセット収納ケース１００の蓋部１０２の上面において周縁辺から立設されたリブ１０２ａが備えられている。リブ１０２ａは、重ね合わされる他のテープカセット収納ケースの収納部底面に形成された凹部や段差部と嵌め合わせることで、積み重ねられたテープカセット収納ケースが崩れ落ちた衝撃で収納されたカセットケースが飛び出して損傷することを防止している。
【発明の開示】
【発明が解決しようとする課題】
【０００６】
しかしながら従来製品に係るテープカセット用収納ケース１００は主たる係合機構であるロック片１４’の係止部４４と蓋部１０２の係合部３９との係合において、落下時などに強い衝撃力がヒンジ部１５にヒンジ部１５の外側から内側に向かう方向に加わると係合が外れてしまうことがあった。
本発明はこのような課題を解決するためになされたもので、落下時などに強い衝撃力がヒンジ部１５にヒンジ部１５の外側から内側に向かう方向に加わっても係合が外れることのないテープカセット用収納ケースを提供することを目的としている。
【課題を解決するための手段】
【０００７】
上記課題を解決するため、請求項１記載の発明は、テープカセットを収納する収納部と、前記収納部を覆う蓋部と、前記収納部及び前記蓋部を第１ヒンジ部によって開閉可能に連結する背板とを備えたテープカセット用収納ケースであって、前記蓋部には前記第１ヒンジ部の反対側面に外板が立設されかつ該外板の外側面に係合部が形成され、一方、前記収納部には、前記第１ヒンジ部の反対側面に周板が立設されかつロック片が前記周板における中央下端部において第２ヒンジ部を介して前記周板に対して旋廻可能に支持されており、前記ロック片の前記周板対向側に、前記外板の係合部と係合可能な係合受部が形成されているテープカセット用収納ケースにおいて、前記蓋部が前記収納部に対して閉じて前記ロック片の係合受部に前記外板の係合部が係合した状態で、前記ロック片にまで延びる延設部を前記蓋部の天板に設け、前記ロック片が前記第２ヒンジ部から反対側方向へ変位するのを前記延設部によって防ぐことを特徴としている。
また、請求項２記載の発明は、請求項１記載のテープカセット用収納ケース
において、前記ロックが凸字形状であり、凸字形状の先端部がロックを解除するときのつまみ部となり、該収納ケースに衝撃力が加わったとき該先端の両端が前記延設部と当接するようになることを特徴としている。
【発明の効果】
【０００８】
以上のような構成によって、強い衝撃力がヒンジ部１５にヒンジ部１５の外側から内側に向かう方向に加わっても、ロック片が第２ヒンジ部から反対側方向へ変位するのを延設部によって防ぐようになるので、係合が外れることのないテープカセット用収納ケースが得られることとなる。
また、蓋部を開くときはこのつまみ部を用いることにより、収納部から蓋部を簡単に開けることができるようになる。
【発明を実施するための最良の形態】
【０００９】
以下、本発明の実施の形態について図面に基づいて詳細に説明する。
図１は本発明の実施の形態に係るテープカセット用収納ケースの斜視図で、その蓋部を開いた状態を示す図、図２は図１のテープカセット用収納ケースの蓋部を半分閉じた状態を示す図、図３は図１のテープカセット用収納ケースの蓋部を閉じた状態を示す図である。図４の本発明の実施の形態に係るテープカセット用収納ケースのロック片周辺部を示す図で、（ａ）はその正面図、（ｂ）は（ａ）のＡ−Ａ矢視図である。
【００１０】
図１〜図３に示すように、本発明に係るテープカセット用収納ケース１０は、２点鎖線の想像線で示すテープカセットＣを収納する収納部１１と、この収納部１１を覆うことができるように形成された蓋部１２と、収納部１１及び蓋部１２を開閉可能に連結する第１ヒンジ部４１を介した背板１３とを備えている。また、テープカセット用収納ケース１０は、収納部１１に第２ヒンジ部１５を介して支持されたロック片１４を備えている。テープカセット用収納ケース１０は、ポリプロピレン（ＰＰ）等の高分子樹脂を材料として一体成形されている。
【００１１】
収納部１１は平面視において略長方形を有する底板１６を有している。底板１６の長縁辺及び短縁辺に、テープカセットＣの収納される部位の周囲を囲むように周板１７，１８，１９，２０が直立して形成されている。周板１７は収納部１１の正面側に配され、周板１８は収納部１１の背面側に配され、周板１９，２０は収納部１１の左・右面側に配されている。
【００１２】
収納部１１の底板１６の中央部には、一対のリール係止リブ２５が形成されている。リール係止リブ２５には、磁気テープカセットＣに設けられた図示しない巻取ハブのリール孔を挿入することにより、磁気テープカセットＣを収納部１１に位置決めする。収納部１１における周板１７の前側面（図１における手前側の面）の両端部に、一対の第１の係合部２８が形成されている。
【００１３】
一方、蓋部１２は、図１の上方視において略長方形状の天板３５を有している。天板３５における一方の長縁辺には外板２９が立設され、天板３５における２つの短縁辺には外板３０，３１が立設されている。
また、蓋部１２は、天板３５が他方の長縁辺で第１ヒンジ部４０，４１を介して背板１３に連結されている。収納部１１は、周板１８側に位置する長縁辺で第１ヒンジ部４０を介して背板１３に連結されている。収納部１１と蓋部１２とが、背板１３の第１のヒンジ部４０，４１によって開閉可能に構成されている。蓋部１２を閉じた状態で、蓋部１２の天板３５における外板２９，３０，３１の内側面が収納部１１の周板１７，１９，２０の外側面と対向するように構成されている。
【００１４】
蓋部１２の天板３５の外側面において、該天板の周縁に沿ってリブ４５，４６，４７，４８が突設されている。これらリブ４５，４６，４７，４８は、テープカセット用収納ケースの収納部における凹部や段差部などに係合可能に構成されている。こうすることで、テープカセット用収納ケース同士を重ね合わせた際に、一方のテープカセット用収納ケースの蓋部と他方のテープカセット用収納ケースの収納部とが係合する。
また、ラベルシート収納領域５０が区画されている。
【００１５】
蓋部１２における第１ヒンジ部４０，４１とは反対側に位置する外板２９の内側には、一対の第１の係止部３２が形成されている。第１の係止部３２は、蓋部１２が閉じられた際に、収納部１１の周板１７における第１係合部２８に係合するように構成されている。
【００１６】
蓋部１２の外板２９の外側面には第２係合部３９（図２）が形成されている。
収納部１１の前面側の周板１７における中央下端部には、台形形状を有する板状のロック片１４が形成されている。ロック片１４と周板１７との境界部分には第２ヒンジ部１５が形成され、ロック片１４が第２ヒンジ部１５によって、周板１７側に傾斜させることができるように、収納部１１に対して可動に支持されている。ロック片１４の先端部には、蓋部１２の外板２９に形成された上記第２の係合部３９と係合可能な第２係止部４４が形成されている。
【００１７】
テープカセット用収納ケース１０は、蓋部１２が収納部１１に対して閉じられると、第１係止部２８に蓋部１２の第１係合部３１がそれぞれ係合し、ロック片１４の第２係止部４４を蓋部１２の第２係合部３９に係合させることで、収納部１１と蓋部１２とを互いにロックさせることができる構成である。
【００１８】
本発明により、ロック片１４には後述するつまみ部１４３（図４）が形成され、その両端１４１，１４２はつまみ部１４３より丈の短い切り欠き部が形成されている。
一方、蓋部１２の正面側に位置するリブ４５の幅は従来製品（図１の４５における点線部）よりも幅広となっており、そのリブ４５には切欠部４５ｂが形成され、蓋部１２を閉じたとき、この部分につまみ部１４３が収納され、同時に切り欠き部１４１，１４２の頂部は幅広リブ４５で押さえられている。
図３は蓋部を閉じた状態を示しており、つまみ部１４３が切欠部４５ｂに収納され、同時に切り欠き部１４１，１４２の頂部が幅広リブ４５で押さえられている様子が見て取れる。
【００１９】
図４は本発明に係るロック片１４の構成を判りやすく示す図である。
図において、１４はテープカセット用収納ケースのロック片で、正面図で見て元々は台形形状（（ａ）参照）をしていたが、本発明により、その両端１４１，１４２を切り欠き、中央部だけ残して、つまみ部１４３を形成している。
切り欠き１４１，１４２の丈は蓋部の天板３５から本発明により外側に延ばされた延設部４５の厚みに等しい。
【００２０】
図（ｂ）の断面図で、蓋部の天板３５に従来製品にはなかった延設部４５を設け、この延設部４５の先端はロック片１４の領域（正確には、切り欠き部１４１，１４２の頂部）にまで延びている。
そして、蓋部が収納部に対して閉じた状態で、ロック片１４の係合受部４４に外板２９の係合部３９が係合すると同時に、延設部４５の先端がロック片１４の切り欠き部１４１，１４２の頂部を押さえている。
【００２１】
したがって、何らかの拍子にテープカセット用収納ケースが床上に落下するなどして、その底部の角に大きな衝撃力Ｆ（図（ｂ））が加わったとしても、ロック片１４の切り欠き部１４１，１４２の頂部が延設部４５で押さえられているので、ロック片１４が上部方向へ変位することができず、したがって、ロック片１４の係合受部４４と外板２９の係合部３９との係合が外れることはない。
【００２２】
以上のように、本発明によれば、強い衝撃力がヒンジ部１５にヒンジ部１５の外側から内側に向かう方向に加わっても、ロック片が第２ヒンジ部から反対側方向へ変位するのを延設部によって防ぐようになるので、係合が外れることのないテープカセット用収納ケースが得られることとなる。
また、蓋部を開くときはこのつまみ部を用いることにより、収納部から蓋部を簡単に開けることができるようになる。
【図面の簡単な説明】
【００２３】
【図１】本発明の実施の形態に係るテープカセット用収納ケースの斜視図で、その蓋部を開いた状態を示す図である。
【図２】図１のテープカセット用収納ケースの蓋部を半分閉じた状態を示す図である。
【図３】図１のテープカセット用収納ケースの蓋部を閉じた状態を示す図である。
【図４】本発明の実施の形態に係るテープカセット用収納ケースのロック片周辺部を示す図で、（ａ）はその正面図、（ｂ）は（ａ）のＡ−Ａ矢視図である。
【図５】特許文献１に記載の従来のテープカセット用収納ケースを示す図である。
【符号の説明】
【００２４】
１０  本発明に係るテープカセット用収納ケース
１１  収納部
１２  蓋部
１３  背板
１４  ロック片
１４１，１４２  切り欠き
１４３  つまみ部
１５  第２ヒンジ部
１６  底板
１７，１８，１９，２０  周板
２５  リール係止リブ
２８  第１係合部
２９，３０，３１  外板
３２  第１係止部
３５  天板
３９  第２係合部
４０，４１  第１ヒンジ部
４４  係合受部
４５ａ  延設部
４５ｂ  切欠部
４５，４６，４７，４８  リブ
５０  ラベルシート収納領域
Ｃ  テープカセット
Ｆ  底部の角に加わる大きな衝撃力
【図１】
2006016025.tif 000003
【図２】
2006016025.tif 000004
【図３】
2006016025.tif 000005
【図４】
2006016025.tif 000006
【図５】
2006016025.tif 000007